(57)【要約】      （修正有）【課題】回転機能を有し移動性に富む椅子に使い勝手の良い電源を供給することのできるバッテリ付き椅子を提供する。【解決手段】脚に対して座が回転可能であるとともに、脚がキャスタを介して移動可能に支持されている椅子において、投入口１００ａを有しその投入先に受電端子１００ｄを配したバッテリ収容部１００を座とともに回転するように座に一体的に設けるとともに、このバッテリ収容部１００に対して投入又は抜き取り自在であって所定の投入位置で受電端子１００ｄと電気的に導通する部位に給電端子１０ｄを備えた充電式のバッテリ１０を装着するようにした。【選択図】図１０
2012024200.tif 000002
【特許請求の範囲】
【請求項１】
脚に対して座が回転可能であるとともに、前記脚がキャスタを介して移動可能に支持されている椅子において、
投入口を有しその投入先に受電端子を配したバッテリ収容部を座若しくは座とともに回転する部位に一体的に設けるとともに、このバッテリ収容部に対して投入又は抜き取り自在であって所定の投入位置で前記受電端子と電気的に導通する部位に給電端子を備えた充電式のバッテリを装着するようにしたことを特徴とするバッテリ付き椅子。
【請求項２】
バッテリ収容部は投入口から投入先に向かって斜め下方に傾斜しており、バッテリは自重で所定位置に到達して電気的な接続状態を確立する請求項１記載のバッテリ付き椅子。
【請求項３】
バッテリ収容部におけるバッテリ荷重を受ける位置に受電端子を配している請求項２記載のバッテリ付き椅子。
【請求項４】
バッテリ収容部の取り付け先が座又は背であり、当該座又は背が後傾可能に構成された椅子であって、前記バッテリ収容部は背又は座の最大後傾時に投入口から投入先に向かう傾斜が水平を越えて逆傾斜とならないようにしている請求項２又は３何れかに記載のバッテリ付き椅子。
【請求項５】
バッテリの一部に残量表示部を備え、バッテリ収容部には、所定位置に投入されたバッテリの残量表示部を外部から視認可能にする窓が設けてある請求項１〜４何れかに記載のバッテリ付き椅子。
【請求項６】
バッテリ収容部が、椅子の基本構成部材に作り込んである請求項１〜５記載のバッテリ付き椅子。
【請求項７】
バッテリ収容部は、椅子の基本構成部材とともに共通の取付手段によって椅子本体に取り付けられている請求項１〜５記載の椅子。
【発明の詳細な説明】
【技術分野】
【０００１】
本発明は、回転機能やキャスタによる移動性が与えられており且つ電源を必要とする椅子に適用して有用となるバッテリ付き椅子に関するものである。
【背景技術】
【０００２】
従来より、脚に対して座が回転可能であるとともに、前記脚がキャスタを介して移動可能に支持されている椅子において、バッテリを搭載したものとして、特許文献１に示すもの等が知られている。
【０００３】
このものは、着座する利用者に送風を行う機能を備える椅子であって、上面に空気の吸入を行う第１の空気吸入部を有する座部、又は、前面に空気の吸入を行う第２の空気吸入部を有する背凭れ部と、前記利用者に向けて空気を噴出する空気噴出口と、前記第１の空気吸入部、又は、前記第２の空気吸入部から吸入した空気を前記空気噴出口に向けて送る送風手段とを備え、充電式のバッテリにより送風手段を駆動するように構成されている。バッテリは椅子の座に取り付けられている。
【先行技術文献】
【特許文献】
【０００４】
【特許文献１】特開２００６−１５０２３号公報
【発明の概要】
【発明が解決しようとする課題】
【０００５】
しかしながら、バッテリが椅子に固定であると、同文献に例示されているように、肘の先端に設けた受電端子を机に設けた給電端子に接続したり、バッテリから電源コードを引っ張ってコンセントに接続しなければならないため、充電中は椅子が使用できないか若しくは椅子の使用位置が制限され、電源コードにも足をとられ易くなるという問題がある。また、バッテリの寿命が尽きる頃には、椅子の座に固定しているバッテリを取り外して新しいものに交換する作業が必要になるため、面倒である。さらに、椅子に備わる電機・電子機器類によってはバッテリの規格が異なる場合があるため、バッテリを一体的に組み込んで固定すると、機器の使用が制限される場合が生じ得る。
【０００６】
本発明は、このような課題に着目し、回転機能を有し移動性に富む椅子に使い勝手の良い電源を供給することのできるバッテリ付き椅子を提供することを目的としている。
【課題を解決するための手段】
【０００７】
本発明は、かかる目的を達成するために、次のような手段を講じたものである。
【０００８】
すなわち、本発明のバッテリ付き椅子は、脚に対して座が回転可能であるとともに、前記脚がキャスタを介して移動可能に支持されているものにおいて、投入口を有しその投入先に受電端子を配したバッテリ収容部を座若しくは座とともに回転する部位に一体的に設けるとともに、このバッテリ収容部に対して投入又は抜き取り自在であって所定の投入位置で前記受電端子と電気的に導通する部位に給電端子を備えた充電式のバッテリを装着するようにしたことを特徴とする。
【０００９】
このように構成すると、バッテリのみを取り外して外部の充電器で充電することができるので、充電中に椅子が使用できない事態や、椅子の使用位置が制限される事態を有効に解消することができる。しかも、バッテリ交換も容易であり、規格の異なるバッテリ間でバッテリ収容部を共用するような利用形態も展開することができるようになる。そして、バッテリ収容部は座とともに回転するので、バッテリ収容部から座や肘へ配線を施しても配線状態が回転によって影響を受けることを回避することができる。
【００１０】
取り扱いの便をより向上させるためには、バッテリ収容部が投入口から投入先に向かって斜め下方に傾斜し、バッテリが自重で所定位置に到達して電気的な接続状態を確立するように構成しておくことが好ましい。
【００１１】
簡単な操作でも接続不良となることを有効に防止するためには、バッテリ収容部におけるバッテリ荷重を受ける位置に受電端子を配していることが望ましい。
【００１２】
特に、バッテリ収容部の取り付け先である座又は背が後傾可能に構成された椅子においては、前記バッテリ収容部は、背又は座の最大後傾時に投入口から投入先に向かう傾斜が水平を越えて逆傾斜とならないように構成しておくことが好ましい。
【００１３】
バッテリの頻繁な充電を回避し、寿命の延命も図るためには、バッテリの一部に残量表示部を備え、バッテリ収容部には、所定位置に投入されたバッテリの残量表示部を外部から視認可能にする窓が設けてあることが望ましい。
【００１４】
このようなバッテリ収容部を無理なく採用するためには、バッテリ収容部を椅子の基本構成部材に作り込んだり、椅子の基本構成部材とともに共通の取付手段によって椅子本体に取り付ける態様が好適となる。
【発明の効果】
【００１５】
本発明のバッテリ付き椅子は、以上説明した構成であるから、バッテリの充電中であっても椅子の配置等が制限されないようにすることができ、バッテリの着脱や交換時の取り扱いも簡素化して、電源を必要とする機能を有した椅子に好適に適用することが可能となる。
【図面の簡単な説明】
【００１６】
【図１】本発明の一実施形態を適用した空調機能付き椅子を示す斜視図。
【図２】同側面図。
【図３】同平面図。
【図４】同椅子に組み込まれている座部空調機構の構成を示す分解斜視図。
【図５】同座部空調機構の要部を一部破砕して示す部分拡大斜視図。
【図６】同椅子に組み込まれている肘部空調機構の構成を示す分解斜視図。
【図７】同椅子において空調操作のための操作手段が組み込まれている肘の説明図。
【図８】同実施形態における空調機構、操作手段及び切替回路の関係を示す機能ブロック図。
【図９】同切替回路の機能説明図。
【図１０】同実施形態で採用されているバッテリ収容部の構造を示す斜視図。
【図１１】同バッテリ収容部の取付方位を説明するための図。
【図１２】本発明の変形例を示す図。
【図１３】本発明の他の変形例を示す図。
【発明を実施するための形態】
【００１７】
以下、本発明の一実施形態を、図面を参照して説明する。
【００１８】
図１は、本実施形態を適用した椅子を示している。この椅子は、脚１に対して座２が回転可能であるとともに、座２が背３の後傾動作に連動して後方に沈み込むように図示しないシンクロロッキング機構によって座２と背３が連動状態で脚１に支持されている。前記座２の側方には肘４が取り付けてあり、脚１はキャスタ１１を介して床上を移動可能とされている。
【００１９】
座２は、図２に一部破砕して示すように、樹脂製のアウターシェル２１上にウレタン等からなる座クッション２２を取り付けて、座クッション２２をアウターシェル２１とともに張り地２３で覆ったものである。
【００２０】
一方、肘４の外形を形成する肘本体４ｘは、下端が座２を構成するアウターシェル２１の側縁近傍の下面にボルト等により固定された支持部である肘フレーム４１と、この肘フレーム４１に対しリンク機構４０を介して相対移動可能とされた肘当て部４２とを備えたもので、肘当て部４２は、図３に示すように着座者の両側に前後に延びる状態で配置される第１の使用位置４２（Ｐ）と、９０°回動して着座者の前方に幅方向に延びる状態で配置される第２の使用位置４２（Ｑ）との間で移動可能とされている。
【００２１】
そして、座２に、給電を受けて図２に矢印Ａで示すように座面を温調するための空気の流れを座２の内部に生成する座部空調機構５を設け、また肘４に、給電を受けて図２に矢印Ｂで示すように肘当て部４２から着座空間に向かって吹き出す空気の流れを生成する肘部空調機構６を設けている。
【００２２】
以下、両空調機構５，６について具体的に説明する。座部空調機構５を設けるにあたり、図４に示すように、座２を構成する座クッション２２の上面ないし前縁の前垂れ部となる部位に凹み２２ａ、２２ｂが設けてあり、この凹み２２ａ、２２ｂは展開状態で平面視凸状をなしている。また、座クッション２２を受容する座アウターシェル２１の前縁に前垂れ状態でバックアッププレート２１ｂを取り付けている。これに対して、座部空調機構５は、前記凹み２２ａ、２２ｂに対応する平坦部５ａ及び前垂れ部５ｂを供えた凸状をなす流路形成材５１と、この流路形成材５１の凸部分に埋め込んだモータＭ１の付帯する送風機（吸気ファン）５２と、これら流路形成材５１及び送風機５２を包む張り地５３とを含んで構成されている。送風機５２はモータＭ１の軸に沿った方向に気流を生成する軸流タイプの羽根５２ｘを有するものである。流路形成材５１は、図５に示すように立方体の各辺に相当する位置に骨格５１ａを有し頂上に受圧用の頂板５１ｃが配置された立体格子５１ｘを接続部５１ｂによって連ねた形態をなし、利用者の体重を受け止めつつ利用者と図４に示した座クッション２２との間に空気の流通を許容する流路を形成するものである。このような流路形成材５１をファン及び張り地と組み合わせたものは一般に「空調ざぶとん」として知られている。本実施形態では、図４に示したようにいわゆる空調ざぶとんに椅子に装着する上で適した形態を付与するとともに、上面側に張られる張り地５３の後部上面の一部の領域にメッシュ状の排出口５３ａを形成して、矢印Ａで示すように送風機５２を介して吸込んだ空気を流路形成材５１の中に流通させた後、その空気を前記排出口５３ａから排気するようにしている。このような座部空調機構５の平坦部５ａを前記凹部２２ａ内に収まるように嵌め込み、前垂れ部５ｂを前記凹部２２ｂ内に収まるように嵌め込みつつアウターシェル２１のバックアッププレート２１ａの前面に位置づけ、送風機５２はモータＭ１の軸が前後方向を向くように、かつ吸込み口５２ａを前方に向けて配置する。そして、流路形成材５１を座クッション２２及びアウターシェル２１の一部とともに図１及び図２に示すように座面を構成するメッシュ地の張り地２３によって包み、その張り地２３をアウターシェル２１の下面側における適宜位置に固定している。
これにより、図２に矢印Ａで示したように、座部空調機構５で生成される空気は、座２の前縁から吸入されて内部を流通し後縁上方に排出されるまでの間に、座面にこもる熱を汲み出し、着座者の臀部に涼感を与えるとともに、座２の後縁側から上方へ排気されて背３の前面に流れることで着座者の背にも涼感を与えるものとなる。張り地５３には座面側から空気を吸い込むような適度の通気性を付与しておいてもよい。
【００２３】
一方、肘部空調機構６は図２に示すように、肘本体４ｘを構成する肘当て部４２の上面に開口する吹き出し口６１と、前記肘当て部４２の下面に開口する吸込み口６２と、前記吹き出し口６１と前記吸い込み口６２の間に形成される内部流路６３と、前記内部流路６３に設けられ給電を受けて前記吸込み口６２から空気を吸い込み前記吹き出し口６１より着座空間に向けて吹き出す送風機６４とから構成される。
【００２４】
図６はこの肘部空調機構６を分解して示すものであり、リブ等の詳細な構造は省略してある。肘当て部４２は、ベース４２ａとカバー４２ｂに上下分割可能なもので、ベース４２ａが肘フレーム４１の上端に形成した台座４１ａにリンク機構４０を構成する一対のリンクメンバ４０ａ、４０ｂの軸ｍ、ｎを介して取り付けられて、図３に示したように姿勢変更動作を引き起こすように構成されている。ベース４２ａには吸込み口６２が、カバー４２ｂには吹き出し口６１が、互いに対向する位置に開口し、ベース４２ａの吸込み口６２の上にモータＭ２の付帯した送風機（排気ファン）６４が配置され、送風機６４の出口と吹き出し口６１とを接続する位置に内部流路６３を形成するほぼ中空球状の部材からなる風向調節部６５が球面状の受座６６を介して首振り自在に配置されている。この送風機６４もモータＭ２の軸に沿った方向に気流を生成する軸流タイプの羽根６４ｘを有するものである。風向調節部６５は、可動吸込み口６５ａと可動吹き出し口６５ｂとの間に内部流路６３を形成しているもので、可動吹き出し口６５ｂはカバー４２ｂの吹き出し口６１の開口の内側に突出状態で配置されて風向調節部６５の首振り機能が担保されており、可動吸い込み口６５ａは図２に模式的な破線で示すように送風機６４の出口を呑み込んだ状態で首振り動作が担保されている。このように、送風機６４と風向調節部６５とは、肘部空調機構６の吸い込み口６２と吹き出し口６１の間にユニット化して組み込まれている。
【００２５】
組立状態において、図２及び図７等に示すように、前記吹き出し口６１が肘当て部４２の上面に開口する一方、前記吸い込み口６２が前記吹き出し口６１に対向する肘当て部４２の下面に開口し、肘当て部４２の下面と肘フレーム４１の上端に形成した台座４１ａとの間にはリンク機構４０が位置することになるが、リンク機構４０の作動によって吸い込み口６２が塞がれないように、リンク機構４０のうち特に前側を支持するリンクメンバ４０ａの形状や位置、そして吸込み口６２の開口位置や口径等が規定してある。
【００２６】
これにより、利用者は前記風向調節部６５を利用して、肘当て部４２を着座者の側方に配置した図３に示す第１の使用位置４２（Ｐ）で吹き出し方向を自由に変えることができ、肘当て部４２を着座者の前方に配置した第２の使用位置４２（Ｑ）でも吹き出し方向を自由に変えることができ、さらに肘当て部４２を両使用位置Ｐ，Ｑの間の各位置に配置した際にも吹き出し方向を自由に変えることができるため、着座者は顔や胸、下腹部や大腿部等の所望の部位に直接風を送って涼感を得ることができるものである。
【００２７】
そして本実施形態では、前記座部空調機構５に対するスイッチング操作機能および肘部空調機構６に対するスイッチング操作機能を集合させた操作手段７を図７に示すように肘４に設け、この操作手段７に入力される操作状況に応じ、図８に示す切替回路８を通じて前記座部空調機構５および肘部空調機構６に対する給電状態の切り替えを行うようにしている。
【００２８】
操作手段７は、図７に示すように着座姿勢にある着座者が操作可能な肘４の一部、具体的にこの実施形態では着座者から見て右側の肘フレーム４１の台座４１ａ付近において、肘当て部４２に手を掛けたままで利用できる位置に設けたボックス７０に取り付けたもので、座部空調機構５に対して給電のオンオフ切り替えのための操作を受け付ける座部空調スイッチ７１と、前記肘部空調機構６に対してオンオフを含み段階的に給電レベルの切り替えのための操作を受け付ける肘部空調摘み７２と、空調全体のオンオフ切り替えを行うメインスイッチ７３とを備えている。この実施形態では、座部空調スイッチ７１とメインスイッチ７３は着座者からみて外側の起立面に設けられ、肘部空調摘み７２は前側の起立面に設けられているが、取付態様はこれに限るものではない。
【００２９】
また、他のスイッチング機能として本実施形態は、図４に示すように座２の２箇所に接触式の着座スイッチ９を埋設し、これによって離席時に節電のために空調機能全体をオフ状態にするようにしている。この着座スイッチ９は、座面の幅方向及び奥行き方向に同時に離間するように対角２箇所に設けたもので、図５に示した流路形成材５１の立体格子５１ｘ、５１ｘ間にスイッチ本体９０を嵌め込んだ状態で検出端９１を上に向けて配置されるもので、スイッチ本体９０に対して検出端９１が突没可能かつ突出方向に弾性付勢されていて、没入時に受圧状態を検知するものである。着座スイッチ９は流路形成材５１とともに張り地５３によって包まれて図４に示した座部空調機構５をなし、この座部空調機構５は更に図２に示した座２の張り地２３で覆われることによって、着座スイッチ９の検出端９１は張り地５３、２３に対向した状態で配される。そして、着座者の荷重により検出端９１が張り地２３、５３を介して押下されることでスイッチが入り、受圧状態を検知するようになっている。
【００３０】
図９は、前述した切替回路８の切替機能を模式的に示したものである。この実施形態では電源にバッテリ１０を採用しており、バッテリ１０と座部空調機構５のモータＭ１との間がメインスイッチ７３、着座スイッチ９および座部空調スイッチ７１を介して接続され、バッテリ１０と肘部空調機構６のモータＭ２との間がメインスイッチ７３、着座スイッチ９および肘部空調摘み７２を介して接続された構造をなす。切替機能としては、メインスイッチ７３がＯＮの状態で着座スイッチ９が着席を検知しているときに、前記座部空調スイッチ７１及び前記肘部空調摘み７２の操作状況に応じて前記座部空調機構５に対する給電のオンオフや前記肘部空調機構６に対する給電のオンオフ並びに通電量（すなわち風量）の切り替えを行い、２つの着座スイッチ９が何れもオフとなって離席を検知したときには前記座部空調スイッチ７１や肘部空調摘み７２に対する操作状況に拘わらず前記座部空調機構５および前記肘部空調機構６のモータＭ１，Ｍ２への給電を停止するものである。勿論、メインスイッチ７３がＯＦＦの状態にあるときにも両空調機構５，６はバッテリ１０から遮断される。図はあくまでひとつの機能を例示したに過ぎず、操作手段７の構成や切替回路８の切替機能については種々に変形実施することができる。
【００３１】
さらに本実施形態では、図２及び図１０に示すように、椅子の一部に設けたバッテリ収容部１００にバッテリ１０を着脱可能にセットするようにしている。バッテリ収容部１００は樹脂製のもので、肘フレーム４１の付け根を座２のアウターシェル２１に取り付ける際に図示しないブラケットを用いて肘４とともに共締めしてぶら下げた状態で支持するようにしたもので、投入口１００ａが後方に向けて斜め上方に開口するように投入されるバッテリ１０に対するガイド面１００ｂを傾斜させ、投入先となる前方の後向き面１００ｃに受電端子１００ｄを配している。一方、バッテリ１０は、バッテリ収容部１００に対し投入又は抜き取り自在であって、取り外して外部の充電器で充電可能なものであり、その前向き面１０ｃには、所定の投入位置で前記受電端子１００ｄと電気的に導通する部位に給電端子１０ｄを設け、その傍らにバッテリ残量をＬＥＤの点灯状態によって知らせる残量表示部１０ｅが設けてある。バッテリ１０には、不図示の充電端子が備わっている。
【００３２】
そして、バッテリ１０をバッテリ収容部１００に投入口１００ａから投入した際に、ガイド面１００ｂに沿ってバッテリ１０がスライドして自重で所定位置に到達し、バッテリ荷重を利用して前記給電端子１０ｄと前記受電端子１００ｄとの電気的な接続状態を確立するようにしている。バッテリ収容部１００の後向き面１００ｃの隣接位置には、バッテリ１０の残量表示部１０ｅを塞がないための窓１００ｅが開口させてあり、所定位置に投入されたバッテリ１０の残量表示部１０ｅを前記窓１００ｅを介し開放して、図２に矢印Ｆで示すように椅子の前方からバッテリ残量を視認できるようにしている。前述したように、この椅子は座２が背３とともにシンクロロッキングして後傾するものであり、図１１（ａ）に示す非後傾時と（ｂ）に示す最大後傾時の間でバッテリ収容部１００の角度が座２の角度とともに変化する。このため、前述したバッテリ収容部１００は、同図（ｂ）に示す最大後傾時に投入口１００ａから投入先に向かう方向に延びるガイド面１００ｂの傾斜が水平を越えて逆傾斜とならないように、図１１（ａ）に示す非後傾時の傾斜角度が設定してある。
【００３３】
なお、本実施形態において、配線類は基本的に省略してあるが、図８や図９の回路構成を、極力配線類を外部に露出させることなく実現するために、適宜、肘フレーム４１の内部やアウターシェル２１の内側等に配線類が引き回されている。
【００３４】
また、以上において座部空調機構５や肘部空調機構６の一部にヒータを採用することで、温風を生成して着座者に対する入熱を行うことも可能である。
【００３５】
以上のように、本実施形態のバッテリ付き椅子は、脚１に対して座２が回転可能であるとともに、前記脚１がキャスタ１１を介して移動可能に支持されているものであって、投入口１００ａを有しその投入先に受電端子１００ｄを配したバッテリ収容部１００を座２とともに回転するように当該座２に一体的に設けるとともに、このバッテリ収容部１００に対して投入又は抜き取り自在であって所定の投入位置で前記受電端子１００ｄと電気的に導通する部位に給電端子１０ｄを備えた充電式のバッテリ１０を装着するようにしたものである。
【００３６】
このように構成すると、バッテリ１０のみを取り外して外部の充電器で充電することができるので、充電中に椅子が使用できない事態や、椅子の使用位置が制限される事態を有効に解消することができる。しかも、バッテリ交換も容易であり、規格の異なるバッテリ間でバッテリ収容部１００を共用するような利用形態も新たに展開することができるようになる。そして、バッテリ収容部１００は座２とともに回転するので、バッテリ収容部１００から座２や肘４へ配線を施しても配線状態が回転によって影響を受けることを有効に回避することが可能となる。
【００３７】
この場合、バッテリ収容部１００を投入口１００ａから投入先に向かって斜め下方に傾斜させ、バッテリ１０が自重で所定位置に到達して電気的な接続状態を確立するようにしているので、投入するだけの簡単な操作でバッテリ１０のセットを終えることができ、逐一椅子を移動させたりコードを接続する等の煩わしさを解消して、取り扱いの便を有効に向上させることができる。
【００３８】
特に、バッテリ収容部１００におけるバッテリ荷重を受ける位置に受電端子１００ｄを配しており、バッテリ荷重が端子１０ｄ、１００ｄ間の接続の確立を助け且つ維持する方向に作用するので、簡単な操作でも接続不良となることを有効に回避することができる。
【００３９】
また、この椅子はバッテリ収容部１００の取り付け先である座２が後傾するものであるが、前記バッテリ収容部１００は、座２の最大後傾時においても投入口１００ａから投入先に向かう傾斜が水平を越えて逆傾斜とならないようにしているので、座２が背３とともにシンクロロッキングしても、後傾時にバッテリ１０の接続不良や脱落が発生することを有効に防止することができる。
【００４０】
さらにこの実施形態は、バッテリ１０の一部に残量表示部１０ｅを備え、バッテリ収容部１００には、所定位置に投入されたバッテリ１０の残量表示部１０ｅを外部から視認可能にする窓１００ｅが設けてあるので、普段使用している状態でバッテリ１０の残量が明確になり、無造作に頻繁に充電することを回避して、バッテリの効率良い使い方とバッテリ寿命の延命を図ることができる。
【００４１】
また、この実施形態のバッテリ収容部１００は、椅子の基本構成部材である肘４とともに共通の取付手段であるボルト等によって椅子本体である座２の下面に取り付けてあるので、別途に取付手段を用いることを不要にすることができる。
【００４２】
なお、各部の具体的な構成は、上述した実施形態のみに限定されるものではない。
【００４３】
例えば、残量表示部１０ｅは、椅子の側方または後方から視認される位置に設けておいても構わない。
【００４４】
また、バッテリ収容部を、椅子の基本構成部材に作り込んでおくことで別段の取付場所の確保を不要にすることができる。
【００４５】
その一例として、図１２に示すものは、肘当て部２４２にバッテリ２０を着脱可能に組み込むためのバッテリ収容部２００を構成したものである。同図は肘当て部２４２の上面にカバー２００ａを設け、このカバー２００ａを開けてバッテリ２０を着脱可能かつ投入するだけで、バッテリ２０の図示しない給電端子とバッテリ収容部２００内の図示しない受電端子との接続状態を確立できるようにしている。このようにしても、前記実施形態に準じた作用効果が奏される。
【００４６】
さらに、図１３に示すように、バッテリ収容部３００を背支桿３１に設けてもよい。この場合も、バッテリ３０を着脱可能かつ投入するだけでバッテリ３０の図示しない給電端子とバッテリ収容部２００内の図示しない受電端子との接続状態を確立するように構成しておけば、上記に準じた作用効果が奏される。特に、背支杆３１は座２の後縁から下面側に回り込んでおり、肘４を支持する肘フレーム４１等の付け根の近傍も回り込んでいるため、背支桿３１を中空にすればバッテリ収容部３００からの配線を背支杆３１の内部に隠蔽した状態で引き回すことができ、前記実施形態で言えば座２の内部に配置した座部空調機構５への給電や、肘４の内部に配置した肘部空調機構６への給電を無理なく有効に行うことができる。この場合も、バッテリ収容部３００の投入口を塞ぐ位置に開閉可能に蓋部材３００ａを設けて、見栄えの向上と埃等の進入防止を図ることも有効である。上記実施形態のバッテリ収容部１００にも同様の蓋部材を採用することが効果的であるのは勿論である。
【００４７】
さらに、同図に示すようにバッテリ収容部３００の一部に透明な窓３００ｅを設けるなどしてバッテリ３０の残量表示部３０ｅを視認可能としておけば、背支桿３１の機能からして目立ち易い椅子の背面に残量確認部３０ｅが配されることになり、インテリジェンスな雰囲気の椅子を演出する上でもこのような構成は有効なものとなる。
【００４８】
勿論、バッテリの用途は上述した空調機構に限定されるものではない。
【００４９】
その他の構成も、本発明の趣旨を逸脱しない範囲で種々変形が可能である。
【符号の説明】
【００５０】
１…脚
２…座
３…背
１０…バッテリ
１０ｄ…給電端子
１０ｅ…残量表示部
１１…キャスタ
１００…バッテリ収容部
１００ａ…投入口
１００ｄ…受電端子
１００ｅ…窓
【図１】
2012024200.tif 000003
【図２】
2012024200.tif 000004
【図３】
2012024200.tif 000005
【図４】
2012024200.tif 000006
【図５】
2012024200.tif 000007
【図６】
2012024200.tif 000008
【図７】
2012024200.tif 000009
【図８】
2012024200.tif 000010
【図９】
2012024200.tif 000011
【図１０】
2012024200.tif 000012
【図１１】
2012024200.tif 000013
【図１２】
2012024200.tif 000014
【図１３】
2012024200.tif 000015